(57)【特許請求の範囲】
【請求項１】
支持基板の相対する両端に隧道などの壁面に止着する止着部片を設けた支持基枠と、前記支持基板の基端部において着脱自在に組付けてケーブルを受支させる支持受とで成るケーブル受金具において、平面視梯形状に前方に突出する中央枠部の両側に先端側自由端を後方に向けて屈曲して取付け部片とした翼部片を連設してばね材を構成し、前記支持基板の縦方向両側に設けた支持孔に前記取付け部片を掛止するとともに、前記支持基板に並設した掛止孔と通し孔を前記ばね材で閉塞して前記ばね材を前記支持基板の背面側に取付け、支持基板に並設し、前記掛止孔に、該掛止孔の上部側を閉塞したばね材のばね付勢に抗して挿通して、より下方において前記掛止孔に掛止する、鉤状の掛止部片と、前記掛止孔より上方に位置させて前記支持基板に設けた、ほぼＴ字状の係止孔の幅狹部に頸部を係止するＴ字状の係止部片を、前記支持受の基端に設けた、ケーブル受金具。
【請求項２】
ばね材の下端に、該ばね材を支持基板に取付けたとき、通し孔を通じて先端の屈曲部が該通し孔の縁部と重ねる引掛け部片を設けた、請求項１記載のケーブル受金具。
【発明の詳細な説明】
【技術分野】
【０００１】
本発明は、隧道などの側壁（面）に、電力や通信用のケーブルを懸架受支させるために用いるケーブル受金具に関するものである。
【背景技術】
【０００２】
支持基板の上下両端にＬ字屈曲状にして隧道などの側壁に固着する止着部片を設けて支持基枠を構成し、該支持基枠の前記支持基板にスリットを設け、このスリットに挿入して９０°回転させて、その縁部に係止するようにして前記支持基板に組付ける支持受にケーブルを懸架するようにした構造のものがある（例えば、特許文献１）。
【０００３】
この従来例は、支持基枠（支持基板）に対し支持受を回転させて組付ける構成を採るので、該支持受にケーブルなどの荷重が不均衡に負荷されると容易に回転してケーブル受支状態が不安定になる虞があり、このため、前記の回転を防ぐために該支持受を近接して配するなどの特別な工夫を必要とし、結局の処、必要に応じた、支持基枠に対する支持受の着脱に煩雑な操作を必要とする。
【０００４】
そこで、このような欠点を回避するものとして支持基板の裏面側にばね片を止着し、該ばね片の自由端部で上部側が閉塞される掛止孔と前記自由端部が重なり合う通し孔を前記支持基板に並設し、前記掛止孔に前記ばね片の付勢に抗して挿通して、該ばね片より下方において頸部を前記掛止孔の下縁に掛止する、鉤状の掛止部片を前記支持受の基端に設けたものが提案されている（例えば、特許文献２）。
【０００５】
【特許文献１】特開２００４−１４０９８５号公報
【特許文献２】特開２００７−３１８８２９号公報
【発明の開示】
【発明が解決しようとする課題】
【０００６】
ばね片を、支持基枠に対する支持受の着脱（取付け）手段とした後者の従来例は、支持基枠に対して支持受を安定的に組付けられ、しかも、着脱に際してもその操作を円滑に行うことができる利点を備えたものであるが、ばね片を支持基枠に止着してあるため、止着部が加工精度や経年変化などで機能しなくなるときがあり、支持基枠に対するばね片の止着手段として想定される熔接やリベット止めは、煩雑で費用が嵩むなどの欠点がある。
【０００７】
本発明は、斯様な従来例の欠点に着目し、支持基枠に対してばね材を別体のものとして、必要に応じて、すなわち、支持基枠に対する支持受の組付けに際してのみばね材を支持基枠に組付けるようにして、安価な製品を提供できるようにしたものである。
【課題を解決するための手段】
【０００８】
支持基板の相対する両端に隧道などの壁面に止着する止着部片を設けた支持基枠と、前記支持基板の基端部において着脱自在に組付けてケーブルを受支させる支持受とで成るケーブル受金具において、平面視梯形状に前方に突出する中央枠部の両側に先端側自由端を後方に向けて屈曲して取付け部片とした翼部片を連設してばね材を構成し、前記支持基板の縦方向両側に設けた支持孔に前記取付け部片を掛止するとともに、前記支持基板に並設した掛止孔と通し孔を前記ばね材で閉塞して前記ばね材を前記支持基板の背面側に取付け、支持基板に並設し、前記掛止孔に、該掛止孔の上部側を閉塞したばね材のばね付勢に抗して挿通して、より下方において前記掛止孔に掛止する、鉤状の掛止部片と、前記掛止孔より上方に位置させて前記支持基板に設けた、ほぼＴ字状の係止孔の幅狹部に頸部を係止するＴ字状の係止部片を、前記支持受の基端に設けた構成とすることを基本的手段とする。
【発明の効果】
【０００９】
本発明によれば、ケーブルを受支するに好適な金具を提供できることは勿論、支持基枠とばね材を別体にして必要に応じて組付けて用いられるものであるから、両者の止着作業を省略した、従って、低廉なケーブル受金具を提供できる。また、支持基枠に設けた取付け個所を選択してばね材を現場において後付けできるから、部品（ばね材）の無駄な消費を省略できるものである。
【００１０】
なお、また、ばね材の着脱作業を円滑に行え、請求項２発明によれば、支持受の支持基板からの離脱操作を誤作業なく行うことができる。
【実施例】
【００１１】
図面は本発明に係るケーブル受金具の実施例を示し、図１は使用状態を示す側面図、図２は図１の一部拡大断面図、図３は図２の右側面図、図４はばね材の正面図、図５はばね材の平面図、図６はばね材の斜視図、図７は支持受の側面図、図８は図７の平面図、図９は支持枠より支持受を取り外す途中時の平面図、図１０は支持枠の一部の背面図、図１１は第二実施例の一部拡大側面図、図１２は図１１の右側面図、図１３は第二実施例のばね材の斜視図である。
【００１２】
本発明のケーブル受金具は、支持基枠１と該支持基枠１に適宜組付けて用いる支持受２および支持受２を支持基枠１に組付ける際に支持基枠１に組付けるばね材３とで構成する。
【００１３】
支持基枠１は、支持基板１ａの上下両端に取付け枠１ｂ，１ｃを固着して、取付け枠１ｂ，１ｃのＬ字屈曲状部の先端部片で構成する止着部片４を備え、長手方向に沿う左右両側を折り曲げて補強部片１ａ´，１ａ´を設けた前記支持基板１ａには、前記支持受２の組付け部５を縦方向に並設し、該組付け部５の適宜のものに前記支持受２を組付けてケーブルｃを懸架、受支させるようにしてある。
【００１４】
組付け部５は、支持基板１ａの縦方向に沿う中央に設けた、ほぼＴ字状の係止孔６と、該係止孔６の直下に設けた通し孔７および該通し孔７の両側に設けた縦長ばち状の掛止孔８並びに支持基板１ａの両側の補強部片１ａ´の基部（支持基板１ａと補強部片１ａ´との交差部）に設けた支持孔９とで構成するものである（図１０）。
【００１５】
なお、第二実施例の組付け部５は、各孔６，７，８，９中、通し孔７を、引掛け部片を引っ掛ける第一実施例のもの（図３）より大径にしてばね材３の下端縁が重なり合うようにしてある（図１２）。
【００１６】
支持受２は、支持基枠１と同様に金属板を屈曲して形成したもので、先後に長い長方形状の受部片１０ａの両側にＬ字状の側部片１０ｂ,１０ｂを相対設して構成した主体枠１０の受部片１０ａの上面の一部を凹入させてケーブルｃ用の係合部とする一方、受部片１０ａの後端すなわち基端には先部１２ａと頸部１２ｂで成る、ほぼＴ字状（平面視）の係止部片１２を突設し、この係止部片１２の基端縁（前記頸部１２ｂ側の）と基端縁を同面上に位置させた掛止部片１３を前記側部片１０ｂの後端すなわち基端に突設して構成したもので、掛止部片１３は先部１３ａと掛止部（頸部）１３ｂとで成る鉤状片で成るものである。
【００１７】
なお、前記係止部片１２は、前記の通り、先部１２ａと頸部１２ｂとで成るＴ字状を成すものであるが、その先部１２ａは、支持基枠１の基板１ａ側に設けた係止孔６の、上部側の幅広部６ａより小径で、下部側の幅狭部６ｂより大径と成し、頸部１２ｂを前記係止孔６の幅狭部６ｂより小径と成し、従って、係止部片１２は、係止孔６に幅広部６ａにおいて挿通させ、係止孔６に沿って降下させて頸部１２ｂを幅狭部６ｂに係合させることにより、先部１２ａの両端が幅狭部６ｂの両縁に係止して支持受２の支持基枠１との組付け状態を保持するのである。また、この係止部片１２より下方にして支持受２の基端に設けた前記掛止部片１３は、縦長の前記先部１３ａを、縦長の前記掛止孔８の縦径より縦幅を小さく（短く）し、従って、前記掛止孔８に挿通させて降下させると、前記頸部１２ｂが係止孔８の下縁に掛止するのである。
【００１８】
前記ばね材３は、前方に平面視梯形状にしている前方に突出する中央枠部１１ａの両側に翼部片１１ｂ，１１ｂを連設して、該翼部片１１ｂが弾性変形する横長枠体１１を備え、該枠体１１の翼部片１１ｂの下端縁には前記組付け部５に組付けたとき、前記掛止孔８の上部側を閉塞する突出部片１４を設け、また、翼部片１１ｂの先端側自由端を後方に向けて屈曲して前記支持孔９に係止する取付け部片１５を設けて成るもので、更に、第一実施例の中央枠部１１ａの下端縁には前記引っ掛け部片１６を設けて、ばね材３を支持基枠１に組付けたとき、先端の屈曲部１６ａが通し孔７の下端縁に重なり合うようにしてある（第二実施例のものは、この引っ掛け部片１６を備えていない）。
【００１９】
そして、ばね材３の中央枠部１１ａの先端面を支持基枠１の支持基板１ａに接触させるようにして、取付け部５の支持孔９にばね材の取付け部片１５を挿通させるようにすると、該取付け部片１５を備えた翼部片１１ｂと支持基枠１ａの背面に接触する中央枠部１１ａの位置関係によって翼部片１１ｂは弾性変形し、その先端の取付け部片１５は支持孔９に係止し、支持基枠１（支持基板１ａ）に対し、ばね材３は組付けられ、その組付け状態は翼部片１１ｂの弾性変形が作用して維持され、この維持によって掛止孔８の上部側は突出部片１４によって閉塞され、また、通し孔７には第一実施例の引っ掛け部片１６が挿通されて屈曲部１６ａが通し孔７下端縁前方に位置することになる（図３）（第二実施例の場合は、図１２で示す通り、ばね材３すなわち中央枠部１ａの下端縁が通し孔７の一部を閉塞する状態となる）。
【００２０】
しかして、例えば、隧道などの壁面ｗに突設した、アンカーボルトｂに、該アンカーボルトｂを前記止着部片４に設けた透孔１７において貫通させて組合わせ、透孔１７より突出する該アンカーボルトｂの先端に固定ナットｎを螺合、締付けることにより支持基枠１は、前記アンカーボルトｂを突設した、隧道壁面ｗの適所に、基板１ａと壁面ｗ間において間隙ａを存して固定される。
【００２１】
この支持基枠１の基板１ａに上下方向にして並設した前記組付け部５、…の全部又は適宜の一部のものに、支持受２を組付けることにより実施例支持金具の使用状態を得ることができるのである。
【００２２】
そして、支持受２を基板１ａに組付ける際、支持受２の係止部片１２を係止孔６の幅広部６ａに、掛止部片１３を掛止孔８の上部にそれぞれ合わせて支持受２を支持基枠１方向に押圧すると、掛止部片１３の先部１３ａは、基板１ａの背面側において掛止孔８の上部を閉塞してばね材３の突出部片１４を、ばね付勢に抗して押圧して後退させ、この後退と同時に係止部片１２は係止孔６の幅広部６ａを貫通移動し、係止部片１２と掛止部片１３の基端と同面上に存する、支持受２の主体枠１０の基端が基板１ａの前面に接触位置に至った時点で、支持受２を押下させると、係止部片１２の頸部１２ｂは係止孔６の幅狹部６ｂに係合する一方、掛止部片１３は、ばね材３の突出部片１４より下方に降下して掛止孔８の下部に降下係合し、ばね片突出部片１４は掛止部片１３の頸部１３ｂの直上位置にばね作用により移動し、掛止部片１３の掛止孔８上方への移動を規制（妨害する）のである。
【００２３】
この組付け状態においてケーブルｃを支持受２（主体枠１０）上に懸架、受支させると、係止部片１２の係止孔６、掛止部片１３の掛止孔８それぞれに対する組付け関係によって支持受２に荷重が負荷しても支持受２は支持基枠１に対する組付け状態を確実に保たれ、ケーブルｃの懸架状態を維持できる。
【００２４】
そして、通し孔７の一部を閉塞していたばね材３部分（中央枠部１１ａの下端部）をばね材３の付勢に抗して押圧すると（第一実施例の場合は、この押圧によって後退する引っ掛け部片１６の屈曲部１６ａが通し孔７の下縁に掛止して後退を規制し、必要以上の押圧操作を防止する）、ばね材３の突出部片１４は掛止部片１３の直上位置から後退し、掛止部片１３は掛止孔８内を上下に自由に移動できる状態となる。そして、このばね材３の押圧操作後、当該支持受２を上昇させると、ばね材３による規制が解除されたため、係止部片１２は係止孔６に、掛止部片１３は掛止孔８にそれぞれ沿って上昇し、係止部片１２には係止孔６の幅広部６ａ位置に、掛止部片１３の先部１３の先部１３ａは掛止孔８と一致する位置にそれぞれ至り、この状態で支持受２を前方へ引くことにより、支持受２の支持基枠１からの取り外しができるのである。
【図面の簡単な説明】
【００２５】
【図１】使用状態を示す側面図。
【図２】図１の一部拡大断面図。
【図３】図２の右側面図。
【図４】ばね材の正面図。
【図５】ばね材の平面図。
【図６】ばね材の斜視図。
【図７】支持受の側面図。
【図８】図７の平面図。
【図９】支持枠より支持受を取り外す途中時の平面図。
【図１０】支持枠の一部の背面図。
【図１１】第二実施例の一部拡大側面図。
【図１２】図１１の右側面図。
【図１３】第二実施例のばね材の斜視図。
【符号の説明】
【００２６】
１          支持基枠
１ａ        支持基板
２          支持受
３          ばね材
４          止着部片
７          通し孔
８          掛止孔
１２        係止部片
１２ｂ      頸部
１３        掛止部片
【図１】
0005178286.tif 000002
【図２】
0005178286.tif 000003
【図３】
0005178286.tif 000004
【図４】
0005178286.tif 000005
【図５】
0005178286.tif 000006
【図６】
0005178286.tif 000007
【図７】
0005178286.tif 000008
【図８】
0005178286.tif 000009
【図９】
0005178286.tif 000010
【図１０】
0005178286.tif 000011
【図１１】
0005178286.tif 000012
【図１２】
0005178286.tif 000013
【図１３】
0005178286.tif 000014